(57)【要約】【課題】  省電力動作状態を示すための消費電力を削減し、省電力化を図ることを目的とする。【解決手段】  自装置の消費電力を少なくする省電力動作状態を設定可能なパーソナルコンピュータ１において、電力消費状態を示すエコランプ１３を設ける。このエコランプ１３は、フィルタ２６と、レンズ２７と、青色ＬＥＤ２８ａとからなる。フィルタ２６は、省電力動作状態を示す緑色である。省電力動作状態が設定されていない場合は、青色ＬＥＤ２８ａを点灯し、フィルタ２６を通して水色に視認される。省電力動作状態が設定されている場合は、青色ＬＥＤ２８ａを消灯し、フィルタ２６の緑色が視認される。【選択図】  図３
2011013780.tif 000002
【特許請求の範囲】
【請求項１】
消費電力を少なくする省電力動作状態を設定可能な情報処理装置であって、
前記情報処理装置の筐体内部に収容される少なくとも１以上の発光素子と、前記発光素子から発光される光を前記筐体外に透過させ且つ前記発光素子の発光色と異なる色を有する透過部材とを有するインジケータと、
前記情報処理装置の前記省電力動作状態が設定されていない場合、前記発光素子を点灯し、前記情報処理装置の前記省電力動作状態が設定されている場合、前記発光素子を消灯するように制御する発光素子制御部と
を有することを特徴とする情報処理装置。
【請求項２】
前記インジケータは、前記発光素子を複数有し、
前記発光素子制御部は、前記情報処理装置の電力消費状態に応じて点灯させる発光素子の数を変更することを特徴とする請求項１に記載の情報処理装置。
【請求項３】
前記インジケータは、前記発光素子を複数有し、
前記発光素子制御部は、前記省電力動作状態である場合、少なくとも１以上の発光素子を消灯することを特徴とする請求項２に記載の情報処理装置。
【請求項４】
前記情報処理装置の消費電力を少なくする省電力動作状態を設定するための操作部を更に有し、
前記情報処理装置は、前記操作部にて前記省電力動作状態が設定された場合に、前記情報処理装置の消費電力を少なくすることを特徴とする請求項３に記載の情報処理装置。
【請求項５】
消費電力を少なくする省電力動作状態を設定可能な情報処理装置であって、
前記情報処理装置の筐体内部に収容される少なくとも１以上の発光素子と、前記発光素子から発光される光を前記筐体外に透過させ且つ前記発光素子の発光色と異なる色を有する透過部材とから構成される操作部と、
前記操作部にて前記省電力動作状態を設定する操作が行われた場合、前記情報処理装置を前記省電力動作状態に設定する設定部と、
前記情報処理装置の前記省電力動作状態が設定されていない場合、前記発光素子を点灯し、前記省電力動作状態が設定された場合、前記発光素子を消灯するように制御する発光素子制御部と
を有することを特徴とする情報処理装置。
【請求項６】
前記操作部は、前記発光素子を複数有し、
前記発光素子制御部は、前記情報処理装置の電力消費状態に応じて点灯させる発光素子の数を変更することを特徴とする請求項５に記載の情報処理装置。
【請求項７】
前記操作部は、前記発光素子を複数有し、
前記発光素子制御部は、前記省電力動作状態である場合、少なくとも１以上の発光素子を消灯することを特徴とする請求項６に記載の情報処理装置。
【発明の詳細な説明】
【技術分野】
【０００１】
本発明は、省電力制御機能を有する情報処理装置に関する。
【背景技術】
【０００２】
各種の電子機器において、通信機能や再生機能等を併用する多機能化が進められている。これに伴い、電子機器の消費電力を抑制する技術についても開発が進められている。
【０００３】
このような省電力化を図る技術の開発に伴い、省電力動作状態を可視化する技術についても開発が行われている。例えば、複数の機能を備える携帯端末機器において、各々の電力消費状態が通常状態であるか省電力動作状態であるかをＬＥＤやディスプレイ等に表示する技術が開示されている（例えば特許文献１参照）。
【先行技術文献】
【特許文献】
【０００４】
【特許文献１】特開２００６−２２９３４０号
【発明の概要】
【発明が解決しようとする課題】
【０００５】
省電力動作状態を示すことは、ユーザに対してエコ意識を喚起するために必要である。
【０００６】
しかし、上述の技術においては、省電力動作状態を示すためにＬＥＤを点灯させる必要が生じている。即ち省電力動作状態とは電力消費を抑える制御状態であるのにも関わらず、省電力動作状態を示すために新たに電力を消費していることになり本末転倒となってしまう。
【０００７】
そこで、省電力動作状態を示すための電力を消費することなく、ユーザに省電力動作状態を示す必要がある。
【０００８】
本発明は上記課題を解決するためになされたものであり、省電力動作状態を示すための消費電力を削減し、省電力化を図ることを目的とする。
【課題を解決するための手段】
【０００９】
上記目的を達成するために、本発明に係る情報処理装置は、上面を有した本体と、前記本体に連結され、上記上面を覆う閉塞位置と前記上面を開放する開放位置との間を回動可能に設けられたディスプレイユニットと、前記本体に設けられる無線通信部と、前記本体に設けられる複数の入力デバイスと、前記入力デバイスから入力される操作信号の示す処理を実行する処理部と、前記複数の入力デバイスの内、入力される操作信号の示す処理を前記処理部にて実行しない入力デバイスを設定する入力デバイス設定部と、前記無線通信部にて無線通信中である場合、前記入力デバイス設定部にて設定される入力デバイスから入力される操作信号の示す処理を実行しないように前記処理部を制御する入力操作制御部を具備することを特徴としている。
【発明の効果】
【００１０】
本発明によれば、省電力動作状態を示すための消費電力を削減し、省電力化を図ることができる。
【図面の簡単な説明】
【００１１】
【図１】本実施の形態におけるパーソナルコンピュータの外観斜視図。
【図２】本実施の形態におけるパーソナルコンピュータの機能ブロック図。
【図３】本実施の形態におけるエコランプの第１の実施の形態の構成図。
【図４】本実施の形態におけるエコランプの第２の実施の形態の構成図。
【図５】本実施の形態におけるエコランプの第３の実施の形態の構成図。
【発明を実施するための形態】
【００１２】
以下に、図１〜図５を参照して、本発明の実施の形態について、例えば、情報処理装置の１つであるパーソナルコンピュータ１に適用した場合を例に説明する。図１は、本実施の形態におけるパーソナルコンピュータの外観斜視図である。
【００１３】
パーソナルコンピュータ１はコンピュータ本体２とディスプレイユニット３から構成されている。コンピュータ本体２とディスプレイユニット３とは、ヒンジ４を介して回動可能に連結されている。ディスプレイユニット３には、表示装置３ａが組み込まれている。
【００１４】
表示装置３ａは、例えばＬＣＤ（Ｌｉｑｕｉｄ  Ｃｒｙｓｔａｌ  Ｄｉｓｐｌａｙ）等である。本明細書において、表示装置３ａに対向してパーソナルコンピュータ１を使用するユーザから見て、上方向を上、下方向を下、左側を左、ユーザから見て右側を右、手前側を手前、奥側を奥と定義する。
【００１５】
コンピュータ本体２は、本体筐体２ａと、キーボード５と、タッチパッド６と、電源スイッチ７と、エコボタン８と、電源ランプ９と、バッテリランプ１０と、ＰＣランプ１１と、ドライブアクセスランプ１２と、エコランプ１３とから構成されている。これらのランプは、本体筐体２ａ内部の基板２９に実装されるＬＥＤ（Ｌｉｇｈｔ  Ｅｍｉｔｔｉｎｇ  Ｄｉｏｄｅ）２８を光源とするものである。
【００１６】
本体筐体２ａは、薄い箱状であり、内部に基板２９やディスクドライブ等を収納している。本体筐体２ａ上面には、キーボード５等の各種の入力デバイスや、エコランプ１３等の各種のインジケータが設けられている。このインジケータは、本明細書においては、右側のパームレストに設けられることとしたが、これに限られることはない。インジケータは、キーボード５とタッチパッド６の間に設けられても良いし、電源スイッチ７の左右に設けられても良い。また、エコランプ１３とエコボタン８とを一体化させ、エコボタン８を押下するとエコボタン８が点灯する構造としても良い。即ち、本体筐体２ａ及び表示ユニット３筐体の表面上であって、ユーザが使用中に視認できる位置であれば良い。
【００１７】
キーボード５は、本体筐体２ａ上面に設けられる入力デバイスである。キーボード５のボタン操作により、文字入力やアイコンの選択等の操作内容を示す操作信号が各部に伝送される。
【００１８】
タッチパッド６は、本体筐体２ａ上面に設けられるポインティングデバイスである。タッチパッド６の操作により、画面の遷移やアイコンの選択等の操作内容を示す操作信号が各部に伝送される。
【００１９】
電源スイッチ７は、ユーザによる操作に応じてポータブルコンピュータ１をパワーオン／パワーオフする制御信号を入力する。
【００２０】
エコボタン８は、パーソナルコンピュータ１を省電力制御することを、ユーザが手動で設定するためのボタンである。省電力設定とは、パーソナルコンピュータ１の各コンポーネントが消費する電力を少なくする設定であり、例えばディスプレイの輝度を低下させたり、ディスプレイのリフレッシュレートの周波数を低下させたりする設定である。本明細書において、パーソナルコンピュータ１の省電力動作状態は、エコボタン８によりユーザが手動で設定できるとしても良いし、ポータブルコンピュータ１の負荷等を用いた動作状況の判別結果に基づいて設定されるとしても良い。
【００２１】
電源ランプ９は、パーソナルコンピュータ１に電源が供給されているか否かを示すランプである。即ち、バッテリ２４若しくはＡＣアダプタ２５を介してパーソナルコンピュータ１に電源が供給されている場合は電源ランプ９を点灯し、シャットダウンしている場合は電源ランプ９を消灯する。
【００２２】
バッテリランプ１０は、バッテリ２４を充電しているか否かを示すランプである。例えば、バッテリ２４を充電中である場合はバッテリランプ１０をオレンジ色に点灯し、充電が完了した場合は緑色にバッテリランプ１０を点灯させる。
【００２３】
ＰＣランプ１１は、パーソナルコンピュータ１のＯＳを起動させて作業を行っているか否かを示すランプである。即ち、パーソナルコンピュータ１のＯＳが起動している場合はＰＣランプ１１を点灯し、パーソナルコンピュータ１のＯＳが起動していない場合はＰＣランプ１１を消灯する。
【００２４】
ドライブアクセスランプ１２は、ＨＤＤ２０やＣＤ−ＲＯＭ等のドライブが動作中か否かを示すランプである。即ち、各種のドライブに書き込み動作等を行っている場合はドライブアクセスランプ１２を点灯し、ドライブの動作が休止中の場合はドライブアクセスランプ１２を消灯する。
【００２５】
エコランプ１３は、パーソナルコンピュータ１が省電力制御されているか否かを示すランプである。即ち、パーソナルコンピュータ１が省電力制御されている場合はエコランプ１３が点灯され、省電力制御されていない場合はエコランプ１３が消灯される。エコランプ１３の構造については図３を用いて後述する。
【００２６】
図２は、本実施の形態におけるパーソナルコンピュータ１の機能ブロック図である。パーソナルコンピュータ１は、表示装置３ａと、キーボード５と、タッチパッド６と、電源スイッチ７と、エコボタン８と、電源ランプ９と、バッテリランプ１０と、ＰＣランプ１１と、ドライブアクセスランプ１２と、エコランプ１３と、ＣＰＵ（Ｃｅｎｔｒａｌ  Ｐｒｏｃｅｓｓｉｎｇ  Ｕｎｉｔ）１４と、ノースブリッジ１５と、主メモリ１６と、グラフィックスコントローラ１７と、ＶＲＡＭ（Ｖｉｄｅｏ  Ｒａｎｄｏｍ  Ａｃｃｅｓｓ  Ｍｅｍｏｒｙ）１８と、サウスブリッジ１９と、ＨＤＤ（Ｈａｒｄ  Ｄｉｓｋ  Ｄｒｉｖｅ）２０と、ＢＩＯＳ−ＲＯＭ（Ｂａｓｉｃ  Ｉｎｐｕｔ  Ｏｕｔｐｕｔ  Ｓｙｓｔｅｍ  Ｒｅａｄ  Ｏｎｌｙ  Ｍｅｍｏｒｙ）２１と、ＥＣ／ＫＢＣ（Ｅｍｂｅｄｄｅｄ  Ｃｏｎｔｒｏｌｌｅｒ／Ｋｅｙｂｏａｒｄ  Ｃｏｎｔｒｏｌｌｅｒ）２２と、電源コントローラ２３と、バッテリ２４と、ＡＣ（Ａｌｔｅｒｎａｔｉｎｇ  Ｃｕｒｒｅｎｔ）アダプタ２５とを備えている。
【００２７】
表示装置３ａは、グラフィックスコントローラ１７からの映像信号に基づいて、映像を表示する。
【００２８】
ＣＰＵ１４は、本パーソナルコンピュータ１の動作を制御するために設けられたプロセッサであり、ＨＤＤ２０から主メモリ１６にロードされるオペレーティングシステム及び各種アプリケーションプログラムを実行する。またＣＰＵ１４は、ＢＩＯＳ−ＲＯＭ２１に格納されたシステムＢＩＯＳを主メモリ１６にロードした後、実行する。システムＢＩＯＳはハードウェア制御のためのプログラムである。
【００２９】
ノースブリッジ１５はＣＰＵ１４のローカルバスとサウスブリッジ１９との間を接続するブリッジデバイスである。ノースブリッジ１５には主メモリ１６をアクセス制御するメモリコントローラも内蔵されている。また、ノースブリッジ１５はＡＧＰ（Ａｃｃｅｌｅｒａｔｅｄ  Ｇｒａｐｈｉｃｓ  Ｐｏｒｔ）バス等を介してグラフィックスコントローラ１７との通信を実行する機能も有している。
【００３０】
主メモリ１６は、ＨＤＤ２０に記憶されるオペレーティングシステム及び各種アプリケーションプログラムや、ＢＩＯＳ−ＲＯＭ２１に格納されたシステムＢＩＯＳを展開されるためのいわゆるワーキングメモリである。
【００３１】
グラフィックスコントローラ１７は、本コンピュータのディスプレイモニタとして使用される表示装置３ａを制御する表示コントローラである。このグラフィックスコントローラ１７はオペレーティングシステム／アプリケーションプログラムによってＶＲＡＭ１８に蓄積された表示データから、表示装置３ａに表示すべき表示イメージを形成する映像信号を生成する。
【００３２】
サウスブリッジ１９は、ＢＩＯＳ−ＲＯＭ２１へのアクセスや、ＨＤＤ２０及びＯＤＤ（Ｏｐｔｉｃａｌ  Ｄｉｓｋ  Ｄｒｉｖｅ）等のディスクドライブ（Ｉ／Ｏデバイス）の制御を行う。また本実施の形態においては、外部機器と無線通信を行うための通信モジュール２２が接続されている。
【００３３】
ＨＤＤ２０は、オペレーティングシステム及び各種アプリケーションプログラム等を記憶する記憶装置である。
【００３４】
ＢＩＯＳ−ＲＯＭ２１はハードウェア制御のためのプログラムであるシステムＢＩＯＳを格納する書き換え可能な不揮発性メモリである。
【００３５】
ＥＣ／ＫＢＣ２２は、パーソナルコンピュータ１のシステム状況に関わらず、各種のデバイス（周辺機器、センサ、電源回路等）を監視し制御するワンチップ・マイコンである。即ち、ＥＣ／ＫＢＣ２２は、入力デバイス（キーボード５・タッチパッド６・電源スイッチ７・エコボタン８）及びインジケータ（電源ランプ９・バッテリランプ１０・ＰＣランプ１１・ドライブアクセスランプ１２・エコランプ１３）の制御を行う。例えば、ＥＣ／ＫＢＣ２２は、電源コントローラ２３と電源ランプ９、バッテリ２４とバッテリランプ１０、電源スイッチ７とＰＣランプ１１、ＨＤＤ２０とドライブアクセスランプ１２、エコボタン８とエコランプ１３を夫々連動させて制御している。
【００３６】
電源コントローラ２３は、外部電源がＡＣアダプタ２５を介して供給されている場合、ＡＣアダプタ２５から供給される外部電源を用いてパーソナルコンピュータ１の各コンポーネントに供給すべきシステム電源を生成する。また、電源コントローラ２３は、外部電源がＡＣアダプタ２５を介して供給されていない場合、バッテリ２４を用いてパーソナルコンピュータ１の各コンポーネント（コンピュータ本体２、及びディスプレイユニット３）に供給すべきシステム電源を生成する。
【００３７】
次に、図３を用いて本発明の第１の実施の形態について説明する。図３は、本実施の形態におけるエコランプの第１の実施の形態の構成図である。エコランプ１３は、フィルタ２６と、レンズ２７と、青色ＬＥＤ２８ａとから構成される。
【００３８】
フィルタ２６は、省電力動作状態を示すために、レンズ２７の上面且つ本体筐体２ａ上面に露出するように設けられるシート状の部材である。本明細書中においては、省電力動作状態を示す色として緑色を例に説明するとし、本実施の形態においてフィルタ２６は緑色であるとする。
【００３９】
レンズ２７は、拡散材を含み、青色ＬＥＤ２８ａからの光を乱反射する部材である。
【００４０】
青色ＬＥＤ２８ａは、青色を発光する半導体素子であり、基板２９上に実装されている。
【００４１】
次に、以上の構成からなるエコランプ１３の点灯に関する制御を説明する。まず、パーソナルコンピュータ１が省電力制御されていない状態（以後、通常状態という）の場合、青色ＬＥＤ２８ａを点灯させる。従って、青色ＬＥＤ２８ａから発せられる青色の光がフィルタ２６を通過することにより、エコランプ１３は水色に視認される。
【００４２】
一方、省電力動作状態の場合には、青色ＬＥＤ２８ａを消灯する。即ち、青色ＬＥＤ２８ａからは光が発光されていないので発色しているのはフィルタ２６のみであり、エコランプ１３は緑色に視認される。
【００４３】
以上のように構成される第１の実施の形態においては、フィルタ２６を着色することで、ＬＥＤを発光することなく省電力動作状態を示すことができる。即ち、省電力動作状態を示すために、電力を消費することがないため、より省電力化が図られる。
【００４４】
次に、図４を用いて本発明の第２の実施の形態について説明する。図４は、本実施の形態におけるエコランプ１３の第２の実施の形態の構成図である。
【００４５】
第２の実施の形態におけるエコランプ１３は、フィルタ２６と、レンズ２７と、青色ＬＥＤ２８ａと、赤色ＬＥＤ２８ｂから構成される。
【００４６】
フィルタ２６は、本実施の形態においても、省電力動作状態を示す色として緑色に着色されている。
【００４７】
レンズ２７は、青色ＬＥＤ２８ａと、赤色ＬＥＤ２８ｂとから発光される青色及び赤色の光を混合して本体筐体２ａ外部に透過させる。
【００４８】
青色ＬＥＤ２８ａ及び赤色ＬＥＤ２８ｂは、基板２９に並列して実装されている。
【００４９】
第２の実施の形態においては、２つのＬＥＤとフィルタ２６を用いることで、パーソナルコンピュータ１の３つの電力消費状態を示すことができる。
【００５０】
まず、第１の電力消費状態として、電力消費量が多い状態を説明する。電力消費量が多い状態とは、例えばパーソナルコンピュータ１が高負荷で動作している場合である。第１の電力消費状態においては、青色ＬＥＤ２８ａ及び赤色ＬＥＤ２８ｂを点灯させる。ユーザには、両ＬＥＤから発光される光がレンズ２７で混合され、緑色に着色したフィルタ２６を透過することで、白色のように視認される。
【００５１】
次に、第２の電力消費状態として、電力消費量が通常である状態を説明する。第２の電力消費状態においては、何れか一方のＬＥＤを点灯させる。例えば、赤色ＬＥＤ２８ｂのみを点灯させる場合、ユーザには赤色の光がレンズ２７と、緑色に着色したフィルタ２６を透過することで、黄色のように視認される。
【００５２】
次に、第３の電力消費状態として、電力消費量が少ない状態を説明する。電力消費量が少ない状態とは、例えばパーソナルコンピュータ１が低負荷で動作している場合である。
【００５３】
第３の電力消費状態においては、両ＬＥＤを消灯する。従って、ユーザには、フィルタ２６の緑色が視認される。
【００５４】
以上のように構成される第２の実施の形態によれば、複数のＬＥＤを用いることでエコランプ１３において示す色を増やすことができる。従って、より詳細にパーソナルコンピュータ１の消費電力についての表示することができる。
【００５５】
次に、図５を用いて本発明の第３の実施の形態について説明する。図５は、本実施の形態におけるエコランプ１３の第３の実施の形態の構成図である。
【００５６】
第３の実施の形態におけるエコランプ１３は、レンズ２７と、青色ＬＥＤ２８ａと、緑色ＬＥＤ２８ｃから構成される。
【００５７】
レンズ２７は、青色ＬＥＤ２８ａと、緑色ＬＥＤ２８ｃとから発光される青色及び緑色の光を混合して本体筐体２ａ外部に透過させる。
【００５８】
青色ＬＥＤ２８ａ及び緑色ＬＥＤ２８ｃは、共に基板２９に実装されている。
【００５９】
第３の実施の形態においては、フィルタ２６を用いずに２つのＬＥＤで、パーソナルコンピュータ１の通常状態及び省電力動作状態を示す。
【００６０】
まず、パーソナルコンピュータ１が通常の負荷で動作している場合は、両ＬＥＤを点灯させる。即ち、青色ＬＥＤ２８ａ及び緑色ＬＥＤ２８ｃから発光される青色及び緑色の光がレンズ２７により混合され、ユーザには白色のように視認される。
【００６１】
次に、パーソナルコンピュータ１が省電力動作状態である場合は、青色ＬＥＤ２８ａを消灯する。従って、ユーザには、レンズ２７を介して緑色ＬＥＤ２８ｃから発光される緑色の光が視認される。
【００６２】
以上のように構成される第３の実施の形態によれば、２つのＬＥＤを用いることで、パーソナルコンピュータ１の通常状態と省電力動作状態とをエコランプ１３にて示すことができる。省電力動作状態においては、片方のＬＥＤを消灯することでより省電力化を図ることができる。また、第３の実施の形態においては、フィルタ２６を設ける必要がない。
【００６３】
尚、本実施の形態においては、エコボタン８とエコランプ１３とを別体として設けた構造を説明したが、これに限られない。例えばエコボタン８の中央部にフィルタ２６を設け、真下にレンズ２７及びＬＥＤ２８を設ける形態でも良い。
【００６４】
尚、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００６５】
１  パーソナルコンピュータ
２  コンピュータ本体
２ａ  本体筐体
３  ディスプレイユニット
３ａ  表示装置
４  ヒンジ
５  タッチパッド
６  キーボード
７  電源スイッチ
８  エコボタン
９  電源ランプ
１０  バッテリランプ
１１  ＰＣランプ
１２  ドライブアクセスランプ
１３  エコランプ
１４  ＣＰＵ
１５  ノースブリッジ
１６  主メモリ
１７  グラフィックスコントローラ
１８  ＶＲＡＭ
１９  サウスブリッジ
２０  ＨＤＤ
２１  ＢＩＯＳ−ＲＯＭ
２２  ＥＣ／ＫＢＣ
２３  電源コントローラ
２４  バッテリ
２５  ＡＣアダプタ
２６  フィルタ
２７  レンズ
２８  ＬＥＤ
２８ａ  青色ＬＥＤ
２８ｂ  赤色ＬＥＤ
２８ｃ  緑色ＬＥＤ
２９  基板 
【図１】
2011013780.tif 000003
【図２】
2011013780.tif 000004
【図３】
2011013780.tif 000005
【図４】
2011013780.tif 000006
【図５】
2011013780.tif 000007
【手続補正書】
【提出日】平成22年6月11日(2010.6.11)
【手続補正１】
【補正対象書類名】特許請求の範囲
【補正対象項目名】全文
【補正方法】変更
【補正の内容】
【特許請求の範囲】
【請求項１】
消費電力を少なくする省電力動作状態を設定可能な情報処理装置であって、
前記情報処理装置の筐体内部に収容される発光素子と、前記発光素子の発光色と異なる色を有し前記発光素子から発光される光を前記筐体外に透過させる透過部材とを有するインジケータと、
前記情報処理装置の前記省電力動作状態が設定されている場合、前記発光素子を消灯するように制御する発光素子制御部と
を有する情報処理装置。
【請求項２】
前記インジケータは、前記発光素子を複数有し、
前記発光素子制御部は、前記情報処理装置の電力消費状態に応じて点灯させる発光素子
の数を変更する請求項１に記載の情報処理装置。
【請求項３】
前記インジケータは、前記発光素子を複数有し、
前記発光素子制御部は、前記省電力動作状態である場合、少なくとも１以上の発光素子
を消灯する請求項１に記載の情報処理装置。
【請求項４】
第１の電力消費状態と、前記第１の電力消費状態よりも電力消費量の少ない第２の電力消費状態とを設定可能な情報処理装置であって、
前記情報処理装置の筐体内部に収容される発光素子と、前記発光素子の発光色と異なる色を有し前記発光素子から発光される光を前記筐体外に透過させる透過部材とを有するインジケータと、
前記第２の電力消費状態に設定されている場合、前記第１の電力消費状態よりも少ない数の発光素子を点灯させる情報処理装置。
【請求項５】
消費電力を少なくする省電力動作状態を設定可能な情報処理装置であって、
前記情報処理装置の筐体内部に収容される発光素子と、前記発光素子の発光色と異なる色を有し前記発光素子から発光される光を前記筐体外に透過させる透過部材とから構成される操作部と、
前記操作部にて前記省電力動作状態を設定する操作が行われた場合、前記情報処理装置
を前記省電力動作状態に設定する設定部と、
前記設定部で前記省電力動作状態に設定されていない場合は前記発光素子を点灯し、前記省電力動作状態に設定された場合、前記発光素子を消灯するように制御する発光素子制御部と
を有する情報処理装置。
【請求項６】
前記操作部は、前記発光素子を複数有し、
前記発光素子制御部は、前記情報処理装置の電力消費状態に応じて点灯させる発光素子
の数を変更する請求項５に記載の情報処理装置。
【請求項７】
前記操作部は、前記発光素子を複数有し、
前記発光素子制御部は、前記省電力動作状態である場合、少なくとも１以上の発光素子
を消灯する請求項５に記載の情報処理装置。